(57)【要約】【課題】器具本体の大型化に伴って透光パネルのサイズが大きくなっても透光パネルが枠部から外れ難くすることのできる照明器具を提供する。【解決手段】器具本体Ａが、３つの透光パネル１と、透光パネル１の一方向に沿った両端部に設けられて透光パネル１を保持する４つの枠部２とから構成され、枠部２は、各々長尺の板状部材から成り長手方向と直交する断面が略Ｌ字状となるように一体に形成された第１の側片３及び第２の側片４と、第１の側片３及び第２の側片４の端部にそれぞれ長手方向に亘って設けられて透光パネル１の前記端部が挿入される断面略コ字状の第１の溝部３０及び第２の溝部４０とを備え、断面形状が略矩形状となるように第１の対向壁部３１と第２の対向壁部４１とを連結部６によって長手方向に亘って連結した。【選択図】図１
2009026609.tif 000002
【特許請求の範囲】
【請求項１】
光源が収納される箱状の器具本体を備え、器具本体が、透光性材料から成る平板状の一乃至複数の透光パネルと、透光パネルの一方向に沿った両端部に設けられて透光パネルを保持する一乃至複数の枠部とから構成される照明器具であって、枠部は、各々長尺の板状部材から成り長手方向と直交する断面が略Ｌ字状となるように一体に形成された第１の側片及び第２の側片と、第１の側片及び第２の側片の端部にそれぞれ長手方向に亘って設けられて透光パネルの前記端部が挿入される断面略コ字状の第１の溝部及び第２の溝部とを備え、第１の溝部を成す壁部及び第２の溝部を成す壁部の各々において互いに対向する第１の対向壁部及び第２の対向壁部は少なくとも一部分が長手方向に亘って連結され、第１の対向壁部と第２の対向壁部とが断面形状で閉路を成すように各壁部をその長手方向に亘って連結する連結部を設けたことを特徴とする照明器具。
【請求項２】
前記連結部は、断面形状が略矩形状となるように第１の対向壁部と第２の対向壁部とを連結することを特徴とする請求項１記載の照明器具。
【発明の詳細な説明】
【技術分野】
【０００１】
本発明は、照明器具に関する。
【背景技術】
【０００２】
従来から、壁面に直付けされるウォールライトとして用いられる照明器具が提供されており、例えば特許文献１に開示されている。以下、このような照明器具の第１の従来例について説明する。この第１の従来例は、図３（ａ）に示すように、内部に光源（図示せず）及びソケット（図示せず）を収納する略直方体状の器具本体Ａと、器具本体Ａの背面に配置されて光源に点灯電力を供給する安定器（図示せず）を内部に収納する器具本体Ａよりも寸法の小さい略直方体状の点灯ブロックＢとから成り、器具本体Ａは、透光性材料から成る平板状の３つの透光パネル１と、各透光パネル１の一方向に沿った両端部に設けられて透光パネル１を保持する４つの枠部１００とから構成される。
【０００３】
枠部１００は、アルミニウムから成り、図３（ｂ）に示すように、長尺の板状部材を長手方向と直交する断面が略Ｌ字状となるように折曲して成る第１の側片１０１及び第２の側片１０２と、第１の側片１０１の端部から第２の側片１０２と対向するように突出する第１の突出片１０３、及び第２の側片１０２の端部から第１の側片１０１と対向するように突出する第２の突出片１０４と、第１の側片１０１及び第２の側片１０２が連結する角部から対角方向に突設される支持片１０５と、支持片１０５の端部において対角方向に開口した断面略Ｕ字状の溝１０５ａと、溝１０５ａと連通する第１のねじ孔１０６ａが貫設された弾性材料から成る平板状のパッキン１０６と、溝１０５ａ及び第１のねじ孔１０６ａと連通する第２のねじ孔１０７ａが貫設された平板状の押さえ金具１０７とから構成され、各枠部１００に２つの透光パネル１の端部が保持される。
【０００４】
以下、透光パネル１の枠部１００への取付方法について説明する。先ず第１の側片１０１と略平行に配設された第１の透光パネル１ａの一方の側面を第１の突出片１０３の端部に当接させるとともに、第２の側片１０２と略平行に配設された第２の透光パネル１ｂの一方の側面を第２の突出片１０４の端部に当接させる。次に、押さえ金具１０７の第２のねじ孔１０７ａに挿通した固定ねじＳを、パッキン１０６の第１のねじ孔１０６ａを介して溝１０５ａに螺合することで、押さえ金具１０７及びパッキン１０６を支持片１０５に取り付ける。而して、パッキン１０６の両端部が撓んで断面略Ｖ字状に折曲され、各透光パネル１ａ，１ｂの他方の側面に当接することで、各透光パネル１ａ，１ｂが第１の突出片１０３及び第２の突出片１０４とパッキン１０６との間に挟持固定される。
【０００５】
しかしながら、上記第１の従来例では、第１の突出片１０３又は第２の突出片１０４とパッキン１０６との間で各透光パネル１ａ，１ｂを挟持しているが、第１の突出片１０３及び第２の突出片１０４が外力によって撓み易く、運搬時の振動等によって透光パネル１が枠部１００から外れてしまう虞があった。また、透光パネル１が一度外れると、パッキン１０６の撓みが復帰することで透光パネル１が挿入される開口が塞がれてしまい、透光パネル１を再度枠部１００に取り付ける場合には一度パッキン１０６を外さなければならず、施工性が悪化するという問題があった。
【０００６】
そこで、枠部１００の構成を変更することで上記問題の解決を図った第２の従来例について以下に説明する。この第２の従来例では、図４に示すように、枠部１００が、各々長尺の板状部材から成り長手方向と直交する断面が略Ｌ字状となるように一体に形成された第１の側片３及び第２の側片４と、第１の側片３及び第２の側片４の端部にそれぞれ長手方向に亘って設けられて、第１の透光パネル１ａ及び第２の透光パネル１ｂの各々の前記端部が挿入される断面略コ字状の第１の溝部３０及び第２の溝部４０とから構成される。
【０００７】
第１の溝部３０及び第２の溝部４０は、各々第１の側片３及び第２の側片４と一体に形成されており、第１の溝部３０を成す壁部のうち第１の側片３と対向する第１の対向壁部３１と、第２の溝部４０を成す壁部のうち第２の側片４と対向する第２の対向壁部４１とは、それぞれの一端部同士が長手方向に亘って連結されている。各溝部３０，４０の内部には、それぞれ弾性材料から成る弾性部材５が配設されており、該弾性部材５を介して各透光パネル１ａ，１ｂの前記端部を各溝部３０，４０に挿入することで、弾性部材５が透光パネル１ａ，１ｂに押圧されて弾性変形し、各透光パネル１ａ，１ｂの両側面と各溝部３０，４０の内壁との間で圧接され、各透光パネル１ａ，１ｂが各溝部３０，４０内でがたつくのを防止している。
【０００８】
上述のように、第２の従来例では、第１の側片３及び第２の側片４に一体に設けた第１の溝部３０及び第２の溝部４０に透光パネル１の前記端部を挿入して保持する構成としたので、第１の従来例のように透光パネル１が枠部１００から外れた場合にも、透光パネル１を再度枠部１００に取り付ける作業を容易に行うことができる。
【特許文献１】特開２０００−２７６９１５号公報
【発明の開示】
【発明が解決しようとする課題】
【０００９】
しかしながら、上記第２の従来例では、例えば４０Ｗ型の直管形蛍光灯などのサイズの大きい光源を用いる場合には、器具本体Ａの大型化に伴って透光パネル１のサイズも大きくなって重くなるために、第１の溝部及び第２の溝部を成す壁部が撓み易くなり、運搬時の振動等によって透光パネル１が枠部１００から外れてしまう虞があった。
【００１０】
本発明は、上記の点に鑑みて為されたもので、器具本体の大型化に伴って透光パネルのサイズが大きくなっても透光パネルが枠部から外れ難くすることのできる照明器具を提供することを目的とする。
【課題を解決するための手段】
【００１１】
請求項１の発明は、上記目的を達成するために、光源が収納される箱状の器具本体を備え、器具本体が、透光性材料から成る平板状の一乃至複数の透光パネルと、透光パネルの一方向に沿った両端部に設けられて透光パネルを保持する一乃至複数の枠部とから構成される照明器具であって、枠部は、各々長尺の板状部材から成り長手方向と直交する断面が略Ｌ字状となるように一体に形成された第１の側片及び第２の側片と、第１の側片及び第２の側片の端部にそれぞれ長手方向に亘って設けられて透光パネルの前記端部が挿入される断面略コ字状の第１の溝部及び第２の溝部とを備え、第１の溝部を成す壁部及び第２の溝部を成す壁部の各々において互いに対向する第１の対向壁部及び第２の対向壁部は少なくとも一部分が長手方向に亘って連結され、第１の対向壁部と第２の対向壁部とが断面形状で閉路を成すように各壁部をその長手方向に亘って連結する連結部を設けたことを特徴とする。
【００１２】
請求項２の発明は、請求項１の発明において、連結部は、断面形状が略矩形状となるように第１の対向壁部と第２の対向壁部とを連結することを特徴とする。
【発明の効果】
【００１３】
本発明によれば、第１の対向壁部と第２の対向壁部とが断面形状で閉路を成すように各壁部をその長手方向に亘って連結する連結部を設けたので、第１の溝部を成す壁部及び第２の溝部を成す壁部が透光パネルの重みによって撓むのを防止することができ、したがって器具本体の大型化に伴って透光パネルのサイズが大きくなっても、透光パネルが枠部から外れ難くすることができる。
【発明を実施するための最良の形態】
【００１４】
以下、本発明に係る照明器具の実施形態について図面を用いて説明する。本実施形態の基本的構成は第１の従来例と同様であって、図１（ａ）に示すように、内部に光源（図示せず）及びソケット８を収納する略直方体状の器具本体Ａと、器具本体Ａの背面に配置されて光源に点灯電力を供給する安定器９を内部に収納する器具本体Ａよりも寸法の小さい略直方体状の点灯ブロックＢとから成り、器具本体Ａは、透光性材料から成る平板状の３つの透光パネル１と、各透光パネル１の一方向に沿った両端部に設けられて透光パネル１を保持する４つの枠部２とから構成される。
【００１５】
枠部２は、例えばアルミニウム等の材料を押出成形して成り、図１（ｂ）に示すように、各々長尺の板状部材から成り長手方向と直交する断面が略Ｌ字状となるように一体に形成された第１の側片３及び第２の側片４と、第１の側片３及び第２の側片４の端部にそれぞれ長手方向に亘って設けられて第１の透光パネル１ａ及び第２の透光パネル１ｂの各々の前記端部が挿入される断面略コ字状の第１の溝部３０及び第２の溝部４０とから構成される。
【００１６】
第１の溝部３０及び第２の溝部４０は、各々第１の側片３及び第２の側片４と一体に形成されており、第１の溝部３０を成す壁部のうち第１の側片３と対向する第１の対向壁部３１と、第２の溝部４０を成す壁部のうち第２の側片４と対向する第２の対向壁部４１とは、それぞれの一端部同士が長手方向に亘って連結されている。また、第１の対向壁部３１の他端部と第２の対向壁部４１の他端部との間は、連結部６によって長手方向に亘って一体に連結されており、該連結部６と第１の対向壁部３１と第２の対向壁部４１とで略矩形状の断面形状を成している。第１の溝部３０及び第２の溝部４０の内部には、それぞれ弾性材料から成る弾性部材５が配設されており、該弾性部材５を介して各透光パネル１ａ，１ｂの前記端部を各溝部３０，４０に挿入することで、弾性部材５が透光パネル１ａ，１ｂに押圧されて弾性変形し、各透光パネル１ａ，１ｂの両側面と各溝部３０，４０の内壁との間で圧接され、各透光パネル１ａ，１ｂが各溝部３０，４０内でがたつくのを防止している。また、枠部２の長手方向両端部において、第１の対向壁部３１の一端部と第２の対向壁部４１の一端部との連結部位には、各々内周に雌ねじ部（図示せず）を有する断面略円形状のねじ溝７が設けられている。
【００１７】
器具本体Ａの長手方向における両端部には、図２に示すように、それぞれ略正方形状の閉塞板１０と、一面を開口した略直方体状のエンドカバー１１とが取り付けられる。閉塞板１０の各辺の略中央部には、枠部２と反対側に向かって突出する略矩形状の第１の係止片１０ｂがそれぞれ突設されるとともに、閉塞板１０の各角部には、枠部２に向かって突出する略矩形状の一対の第２の係止片１０ｃがそれぞれ設けられている。また、閉塞板１０の四隅には、それぞれ略円形状の取付孔１０ａが貫設されている。而して、各第２の係止片１０ｃを枠部２の長手方向における端部に挿入することで閉塞板１０の位置決めを行うとともに、取付孔１０ａを介して枠部２に設けられたねじ溝７に取付ねじ７ａを螺合することで閉塞板１０が枠部２に取り付けられる。その後、エンドカバー１１の内側面を閉塞板１０の第１の係止片１０ｂに係止させることで、エンドカバー１１が閉塞板１０を覆うようにして取り付けられて器具本体Ａが完成する。
【００１８】
上述のように、第１の対向壁部３１と第２の対向壁部４１とが連結部６によって断面形状が略矩形状となるように長手方向に亘って連結されるので、第１の溝部３０を成す壁部及び第２の溝部４０を成す壁部が連結部６によって補強されるために透光パネル１の重みによって撓むのを防止することができ、したがって器具本体Ａの大型化に伴って透光パネル１のサイズが大きくなっても、透光パネル１が枠部２から外れ難くすることができる。
【００１９】
尚、本実施形態では連結部６は、断面形状が略矩形状となるように第１の対向壁部３１と第２の対向壁部４１とを連結しているが、断面形状はこれに限定される必要はなく、第１の対向壁部３１と第２の対向壁部４１とが断面形状で閉路を成すように連結すれば他の断面形状であっても構わない。
【図面の簡単な説明】
【００２０】
【図１】本発明の照明器具の実施形態を示す図で、（ａ）は側方から見た断面図で、（ｂ）は要部断面図である。
【図２】同上の一部省略した分解斜視図である。
【図３】第１の従来例の照明器具を示す図で、（ａ）は全体斜視図で、（ｂ）は要部断面図である。
【図４】第２の従来例の照明器具を示す要部断面図である。
【符号の説明】
【００２１】
１  透光パネル
２  枠部
３  第１の側片
３０  第１の溝部
３１  第１の対向壁部
４  第２の側片
４０  第２の溝部
４１  第２の対向壁部
６  連結部
Ａ  器具本体
【図１】
2009026609.tif 000003
【図２】
2009026609.tif 000004
【図３】
2009026609.tif 000005
【図４】
2009026609.tif 000006